(57)【要約】【課題】食材の安全衛生に優れ、廃棄ゴミ量の低減を可能にする。【解決手段】食材を収容する容器の開口部を覆う形状を有し、周縁近傍部に所定形状の切込み部３を設けた無収縮フィルム１と、無収縮フィルム１よりも大きい形状を有して略中央部の裏面側に無収縮フィルム１を接着して成り、該無収縮フィルム１の切込み部３に対応した部位を間にして延びる二本の線上に夫々一本のミシン目７を外縁部２ａから少なくとも切込み部３に対応した部位まで延設し、加熱により熱収縮する熱可塑性フィルム２と、を備えたものである。【選択図】図１
2009120237.tif 000002
【特許請求の範囲】
【請求項１】
食材を収容する容器の開口部を覆う形状を有し、周縁近傍部に所定形状の切込み部を設けた無収縮フィルムと、
前記無収縮フィルムよりも大きい形状を有して略中央部の裏面側に前記無収縮フィルムを接着して成り、該無収縮フィルムの前記切込み部に対応した部位を間にして延びる二本の線上に夫々少なくとも一本のミシン目を外縁部から少なくとも前記切込み部に対応した部位まで延設し、加熱により熱収縮する熱可塑性フィルムと、
を備えたことを特徴とする電子レンジ用容器の蓋部材。
【請求項２】
食材を収容する容器の開口部を覆う形状を有し、周縁部近傍部に所定形状の切込み部を設けた無収縮フィルムと、
前記無収縮フィルムよりも大きい形状を有して略中央部に所定形状の中央開口部を設け、略中央部の裏面側に前記無収縮フィルムを接着して成り、該無収縮フィルムの前記切込み部に対応した部位を間にして延びる二本の線上に夫々少なくとも一本のミシン目を前記中央開口部の縁部から少なくとも前記切込み部に対応した部位まで延設し、加熱により熱収縮する熱可塑性フィルムと、
を備えたことを特徴とする電子レンジ用容器の蓋部材。
【請求項３】
前記熱可塑性フィルムは、前記二本の線上に延設されたミシン目に挟まれた前記中央開口部の縁部に突出片部を内側に突出させて設けたことを特徴とする請求項２記載の電子レンジ用容器の蓋部材。
【請求項４】
前記熱可塑性フィルムは、略中央部の裏面側にて前記二本の線上に延設されたミシン目に挟まれた領域の外側の部分で前記無収縮フィルムを接着したことを特徴とする請求項１〜３のいずれか１項に記載の電子レンジ用容器の蓋部材。
【請求項５】
前記無収縮フィルムは、周縁部を裏面側に湾曲させて前記容器の上端周縁部に嵌合する嵌合部を設けたことを特徴とする請求項１〜４のいずれか１項に記載の電子レンジ用容器の蓋部材。
【請求項６】
前記無収縮フィルムは、中央部が膨らんだドーム形状に形成し、又は略中央部に所定形状の凹部若しくは凸部を形成したことを特徴とする請求項１〜５のいずれか１項に記載の電子レンジ用容器の蓋部材。
【発明の詳細な説明】
【技術分野】
【０００１】
本発明は、食材を収容する電子レンジ用容器の蓋部材に関し、詳しくは、食材の安全衛生に優れ、廃棄ゴミ量の低減を可能にした電子レンジ用容器の蓋部材に係るものである。
【背景技術】
【０００２】
従来のこの種の蓋部材は、食材を収容した電子レンジ用容器の開口部に着脱可能な状態ではめ込まれ、蓋本体部分の一部を切り込むことにより蒸気抜き部が形成されたものとなっていた（例えば、特許文献１参照）。
【特許文献１】特開２００４−１３１１１９号公報
【発明の開示】
【発明が解決しようとする課題】
【０００３】
しかし、このような従来の電子レンジ用容器の蓋部材においては、上記蓋本体部の蒸気抜き部が露出しているため。例えば悪戯により蒸気抜き部が指で押されて穴が開けられた場合、この穴から異物等が容器内部に侵入するおそれがあり、安全衛生上の問題があった。
【０００４】
そこで、例えばコンビニエンスストア等では、安全衛生上の観点から食材を収容した電子レンジ用容器の外側を薄いラッピングフィルムで覆ったり、蒸気抜き部に接着剤付きフィルムやタック紙等のラベルを貼り付けてその上を覆ったりして陳列販売するのが一般的となっている。しかし、この場合、容器が例えばラッピングフィルムで覆われているときには、ユーザの要求に応じて食材を電子レンジで温める際に、容器内部の空気や蒸気が温められて膨張してラッピングフィルムが破裂することがある。したがって、それを防止するために、通常は、事前にラッピングフィルムを剥がす動作が成されており、昼食時等の混雑時に速やかな電子レンジ処理ができないという問題があった。しかも、剥がしたラッピングフィルムは産業廃棄物となり、廃棄ゴミの量が増加してゴミの処理費用が嵩むおそれがあった。また、地球環境の問題からも好ましくなかった。
【０００５】
一方、蒸気抜き部上に貼られたラベルは、容易に剥がすことができるため、例えば悪戯によりラベルが剥がされて蒸気抜き部が露出されるおそれがある。したがって、ラベルを貼っただけでは、上述のような安全衛生上の問題を完全には解消することができなかった。
【０００６】
そこで、本発明は、このような問題点に対処し、食材の安全衛生に優れ、廃棄ゴミ量の低減を可能にした電子レンジ用容器の蓋部材を提供することを目的とする。
【課題を解決するための手段】
【０００７】
上記目的を達成するために、第１の発明による電子レンジ用容器の蓋部材は、食材を収容する容器の開口部を覆う形状を有し、周縁近傍部に所定形状の切込み部を設けた無収縮フィルムと、前記無収縮フィルムよりも大きい形状を有して略中央部の裏面側に前記無収縮フィルムを接着して成り、該無収縮フィルムの前記切込み部に対応した部位を間にして延びる二本の線上に夫々少なくとも一本のミシン目を外縁部から少なくとも前記切込み部に対応した部位まで延設し、加熱により熱収縮する熱可塑性フィルムと、を備えたものである。
【０００８】
このような構成により、周縁近傍部に所定形状の切込み部を設けた無収縮フィルムで食材を収容する容器の開口部を覆い、無収縮フィルムよりも大きい形状を有して略中央部の裏面側に上記無収縮フィルムを接着して成り、該無収縮フィルムの上記切込み部に対応した部位を間にして延びる二本の線上に夫々少なくとも一本のミシン目を外縁部から少なくとも切込み部に対応した部位まで延設した熱可塑性フィルムを熱収縮させて容器の上端周縁部を密封する。
【０００９】
また、第２の発明による電子レンジ用容器の蓋部材は、食材を収容する容器の開口部を覆う形状を有し、周縁部近傍部に所定形状の切込み部を設けた無収縮フィルムと、前記無収縮フィルムよりも大きい形状を有して略中央部に所定形状の中央開口部を設け、略中央部の裏面側に前記無収縮フィルムを接着して成り、該無収縮フィルムの前記切込み部に対応した部位を間にして延びる二本の線上に夫々少なくとも一本のミシン目を前記中央開口部の縁部から少なくとも前記切込み部に対応した部位まで延設し、加熱により熱収縮する熱可塑性フィルムと、を備えたものである。
【００１０】
このような構成により、周縁部近傍部に所定形状の切込み部を設けた無収縮フィルムで食材を収容する容器の開口部を覆い、無収縮フィルムよりも大きい形状を有して略中央部に所定形状の中央開口部を設け、略中央部の裏面側に上記無収縮フィルムを接着して成り、該無収縮フィルムの上記切込み部に対応した部位を間にして延びる二本の線上に夫々少なくとも一本のミシン目を中央開口部の縁部から少なくとも切込み部に対応した部位まで延設した熱可塑性フィルムを熱収縮させて容器の上端周縁部を密封する。
【００１１】
さらに、前記熱可塑性フィルムは、前記二本の線上に延設されたミシン目に挟まれた前記中央開口部の縁部に突出片部を内側に突出させて設けたものである。これにより、二本の線上に延設されたミシン目に挟まれた熱可塑性フィルムの中央開口部の縁部に内側に突出させて設けられた突出片部で熱可塑性フィルムの切除を容易にする。
【００１２】
また、前記熱可塑性フィルムは、略中央部の裏面側にて前記二本の線上に延設されたミシン目に挟まれた領域の外側の部分で前記無収縮フィルムを接着したものである。これにより、熱可塑性フィルムの二本の線上に延設されたミシン目に挟まれた領域の外側の部分で無収縮フィルムを接着する。
【００１３】
さらに、前記無収縮フィルムは、周縁部を裏面側に湾曲させて前記容器の上端周縁部に嵌合する嵌合部を設けたものである。これにより、無収縮フィルムの周縁部を裏面側に湾曲させた嵌合部で容器の上端周縁部に嵌合する。
【００１４】
そして、前記無収縮フィルムは、中央部が膨らんだドーム形状に形成し、又は略中央部に所定形状の凹部若しくは凸部を形成したものである。これにより、中央部が膨らんだドーム形状に形成し、又は略中央部に所定形状の凹部若しくは凸部を形成して無収縮フィルムの変形を抑制する。
【発明の効果】
【００１５】
請求項１に係る発明によれば、無収縮フィルムに形成された切込み部が熱可塑性フィルムによって隠された状態となっているので、悪戯により上記切込み部が容器内部に押し込まれても開口部が露出することがない。したがって、この開口部から異物等が容器内部に侵入するのを防止することができ、食材を安全に且つ衛生的に保存することができる。また、ラッピングフィルムで覆う必要がないので、廃棄ゴミ量を減らすことができる。さらに、熱可塑性フィルムの略中央部が無収縮フィルムで裏打ちされた状態となっているので、熱可塑性フィルムの収縮が無収縮フィルムによって制限され、熱収縮フィルムに商品名等を含む模様が印刷されていても印刷模様の変形を抑制することができる。
【００１６】
また、請求項２に係る発明によれば、無収縮フィルムに形成された切込み部が熱可塑性フィルムによって隠された状態となっているので、悪戯により上記切込み部が容器内部に押し込まれても開口部が露出することがない。したがって、この開口部から異物等が容器内部に侵入するのを防止することができ、食材を安全に且つ衛生的に保存することができる。また、ラッピングフィルムで覆う必要がないので、廃棄ゴミ量を減らすことができる。さらに、熱可塑性フィルムの略中央部に設けた中央開口部の縁部にミシン目の端部が現れているので、ミシン目に沿った熱可塑性フィルムの切除が容易になる。
【００１７】
さらに、請求項３に係る発明によれば、中央開口部の縁部のミシン目に挟まれた部分に内側に突出した突出片部を設けているので、熱可塑性フィルムの切除がより容易になる。
【００１８】
また、請求項４に係る発明によれば、ミシン目に挟まれた領域は接着されないので、熱可塑性フィルムの切除がより一層容易になる。
【００１９】
さらに、請求項５に係る発明によれば、無収縮フィルムの周縁部を裏面側に湾曲させているので、熱可塑性フィルムを熱収縮させて食材を収容した電子レンジ用容器の上端周縁部を密封する過程で蓋部材がずれるのを防止して容器の開口部を確実に塞ぐことができる。
【００２０】
そして、請求項６に係る発明によれば、無収縮フィルムの剛性を増すことができ、変形を防止することができる。
【発明を実施するための最良の形態】
【００２１】
以下、本発明の実施形態を添付図面に基づいて詳細に説明する。図１は本発明による電子レンジ用容器の蓋部材の第１の実施形態を示す斜視図である。この電子レンジ用容器の蓋部材は、容器の開口部を覆って内部に収容された食材を保護するもので、無収縮フィルム１と、熱可塑性フィルム２とから成る。
【００２２】
上記無収縮フィルム１は、食材を収容する容器の開口部を覆う蓋本体部と成るもので、容器の開口部を覆う形状を有し、周縁近傍部に所定形状の切込み部３を設けて蒸気抜き部４としたものである。また、無収縮フィルム１は、ポリエチレンテレフタレート（ＰＥＴ）フィルム、ポリスチレン（ＰＳ）フィルム等から成り、後述の熱可塑性フィルム２が収縮する温度では収縮しないように成っている。そして、容器を重ねて陳列しても破けることがないように熱可塑性フィルム２よりも厚手のフィルムで形成されている。
【００２３】
図２は上記無収縮フィルム１の変形例を示す中心線縦断面図である。この無収縮フィルム１は、周縁部を裏面１ａ側に湾曲させて容器の上端周縁部に嵌合する嵌合部５を設けたものであり、蓋部材のずれを防止して容器の開口部を確実に塞ぐことができるように成っている。
【００２４】
図３は上記無収縮フィルム１の他の変形例を示す平面図である。この無収縮フィルム１は、略中央部に所定形状（同図においてはＸ字状）で所定深さの凹部６を設けて剛性を増し、変形を防止させたものである。なお、凹部６ではなく所定高さの凸部を設けてもよい。又は、中央部が膨らんだドーム形状に形成してもよい。
【００２５】
上記無収縮フィルム１の上面には、熱可塑性フィルム２が設けられている。この熱可塑性フィルム２は、無収縮フィルム１よりも大きい形状を有して略中央部の裏面側に無収縮フィルム１を周知の接着剤を使用して接着し、無収縮フィルム１に形成された切込み部３を覆って該切込み部３に直接触れることができないようにすると共に、例えば約７０℃〜約１４０℃の加熱により収縮して容器の上端周縁部を密封するもので、ポリエチレンテレフタレート（ＰＥＴ）フィルム、ポリスチレン（ＰＳ）フィルム等を延伸処理した等方性の熱収縮フィルムである。
【００２６】
また、熱可塑性フィルム２は、無収縮フィルム１の上記切込み部３に対応した部位を間にして略平行に延びる二本の線上に夫々一本のミシン目７を外縁部２ａから切込み部３に対応した部位まで延設しており、食材を電子レンジで温める際に、熱可塑性フィルム２を上記各ミシン目７に沿って外縁部２ａから少なくとも上記切込み部３まで切除することにより、この切込み部３を容易に露出させることができるように成っている。これにより、電子レンジで温められて膨張した空気又は水蒸気の膨張圧力で無収縮フィルム１の上記蒸気抜き部４を内側から押し上げて切込み部３に開口部を生じさせ、上記空気又は水蒸気を該開口部から外部に抜けさせて容器が破裂するのを防止することができる。
【００２７】
なお、ミシン目７は、熱可塑性フィルム２の一方の外縁部から反対側の外縁部まで延びて設けられていてもよい。また、ミシン目７は、上記二本の線上に夫々一本設けられたものに限られず、夫々二本設けられたいわゆるダブルミシン目であってもよいし、それ以上の本数で形成されてもよい。
【００２８】
また、熱可塑性フィルム２は、図１に斜線を付して示しているように略中央部の裏面側にて上記二本の線上に延設されたミシン目７に挟まれた領域には接着剤を塗布せず、その外側の部分で無収縮フィルム１を接着するとよい。これにより、熱可塑性フィルム２をミシン目７に沿って容易に切除することができる。また、容易に剥がすことができる接着剤が使用される場合には、上記ミシン目７に挟まれた領域にも接着剤を塗布して無収縮フィルム１の上面全面を接着してもよい。さらに、接着剤は、無収縮フィルム１側に塗布してもよい。
【００２９】
次に、このように構成された電子レンジ用容器の蓋部材の製造について説明する。
先ず、電子レンジ用容器の開口部を覆う形状に形成され、周縁近傍部に例えば半円形の二つの山が連なった形状の頂部を有する切込み部３を該頂部が例えば外側となるように設けた無収縮フィルム１を準備する。なお、上記頂部が内側となるように切込み部３を形成したものであってもよく、切込み部３の頂部の形状は半円形でも三角形でも如何なる形状であってもよい。
【００３０】
また、直交二軸方向に延伸処理され、表面又は裏面に間隔Ｌ（図４参照）で商品名等を含む模様を印刷し、上記無収縮フィルム１の幅よりも大きい幅を有して帯状に形成された熱可塑性フィルム２の帯状体８（図４参照）を準備する。
【００３１】
次に、図４（ａ）に示すように、この熱可塑性フィルム２の帯状体８をその裏面を上にして矢印Ａで示すその長手方向に所定速度で給送しながら、長手中心軸に沿って、切込み部３の上記二つ山の連なり方向の幅よりもやや広い幅を有した所定長さの二本のミシン目７を一組として間隔Ｌで複数組形成する。
【００３２】
その後、図４（ｂ）に示すように、表面に接着剤（同図の斜線部参照）を塗布した無収縮フィルム１を所定の時間間隔で供給しながら、上記熱可塑性フィルム２の帯状体８に形成された複数組のミシン目７のうち隣接する二組のミシン目７の略中間位置に無収縮フィルム１をその切込み部３が二本のミシン目７の間に位置するように位置決めして接着する。
【００３３】
さらに、図示省略のカッターを駆動し、一組のミシン目７の長手方向の中間位置（図４（ｂ）のＢ−Ｂ線参照）において熱可塑性フィルム２の帯状体８を切断する。これにより、図１に示す本発明の蓋部材が製造される。
【００３４】
このようにして製造された蓋部材は、食材を収容した容器の上に置かれ、例えば約７０℃〜約１４０℃のトンネル炉を通される。このとき、蓋部材の熱可塑性フィルム２が中央部に向かって収縮して図５に示すように容器９の上端周縁部を密封する。これにより、容器９が密封されて容器９内部の食材１０が保護される。なお、熱可塑性フィルム２は、その略中央部に無収縮フィルム１が接着されているので、中央部の収縮が無収縮フィルム１によって制限されて殆ど収縮せず、周辺部のみが収縮することになる。
【００３５】
図６は本発明による電子レンジ用容器の蓋部材の第２の実施形態を示す斜視図である。上記第１の実施形態と異なる点は、熱可塑性フィルム２が無収縮フィルム１よりも大きい形状を有して略中央部に所定形状の中央開口部１１を設け、略中央部の裏面側に無収縮フィルム１を接着して成り、該無収縮フィルム１の切込み部３に対応した部位を間にして延びる二本の線上に夫々一本のミシン目７を中央開口部１１の縁部１１ａから少なくとも切込み部３に対応した部位まで延設している点である。
【００３６】
また、熱可塑性フィルム２は、上記ミシン目７に挟まれた中央開口部１１の縁部１１ａに突出片部１２を内側に突出させて設けており、食材を電子レンジで温める際に、該突出片部１２をつまんで熱可塑性フィルム２を上記ミシン目７に沿って中央開口部１１の縁部１１ａから少なくとも上記切込み部３に対応した部位まで切除することにより、切込み部３を容易に露出させることができるように成っている。この場合、上記突出片部１２の対応位置に切込み部３をその頂部が内側となるように形成し、この切込み部３の部分（蒸気抜き部４）と突出片部１２とを接着してもよい。これにより、突出片部１２を引き起こすだけで、切込み部３を一緒に引き起こして蒸気を抜くための開口部を容易に生じさせることができる。
【００３７】
なお、上記実施形態においては、無収縮フィルム１の形状が円形状の場合について説明したが、本発明はこれに限られず、無収縮フィルム１の形状は容器９の開口部の形状に合わせて適宜決められる。
【００３８】
また、上記実施形態においては、切込み部３を二つ設けた場合について説明したが、本発明はこれに限られず、切込み部３は少なくとも一つあればよい。
さらに、商品名等の模様印刷は、熱可塑性フィルム２に限られず、無収縮フィルム１又は両フィルムに行ってもよい。
【図面の簡単な説明】
【００３９】
【図１】本発明による電子レンジ用容器の蓋部材の第１の実施形態を示す斜視図である。
【図２】本発明の蓋部材を構成する無収縮フィルムの形状の変形例を示す中心線縦断面図である。
【図３】上記無収縮フィルムの形状の他の変形例を示す平面図である。
【図４】本発明の蓋部材の製造について示す説明図である。
【図５】本発明の蓋部材を使用して容器の開口部を密封した状態を示す中心線縦断面図である。
【図６】本発明による電子レンジ用容器の蓋部材の第２の実施形態を示す斜視図である。
【符号の説明】
【００４０】
１…無収縮フィルム
２…熱可塑性フィルム
３…切込み部
５…嵌合部
６…凹部
７…ミシン目
９…容器
１０…食材
【図１】
2009120237.tif 000003
【図２】
2009120237.tif 000004
【図３】
2009120237.tif 000005
【図４】
2009120237.tif 000006
【図５】
2009120237.tif 000007
【図６】
2009120237.tif 000008